(57)【特許請求の範囲】
【請求項１】
圧縮室より吐出される冷媒から潤滑油を分離するオイルセパレータをハウジング内に備えた圧縮機において、
前記オイルセパレータは、両端が開口されている円筒形状の外筒と、該外筒内に配置される内筒とを有し、
前記ハウジングの外壁には、前記オイルセパレータを内部に挿入するためのオイルセパレータ固定穴が形成されており、
該オイルセパレータ固定穴に対して前記オイルセパレータの前記外筒の一端部が固定設置されているとともに、前記外筒の他端部が前記ハウジング内の該オイルセパレータが設置される空間と油溜まり室とを隔てる仕切壁に固定設置され、該仕切壁に形成されている連通穴を介して分離された油を滴下する前記油溜まり室に連通されていることを特徴とする圧縮機。
【請求項２】
前記内筒は、前記外筒を内側に折り曲げた状態で一体成型されていることを特徴とする請求項１記載の圧縮機。
【請求項３】
前記外筒には、圧縮室より吐出される冷媒を導入するための孔部が形成されており、
該孔部は、前記外筒の一部を内側に折り曲げることにより形成されていることを特徴とする請求項１または請求項２記載の圧縮機。
【請求項４】
前記オイルセパレータの前記外筒は、前記ハウジングに形成された前記オイルセパレータ固定穴に圧入されて固定されていることを特徴とする請求項１〜請求項３のいずれか１項記載の圧縮機。
【請求項５】
前記オイルセパレータの前記外筒は、前記ハウジングへの挿入側の端部がテーパ形状とされていることを特徴とする請求項１〜請求項４のいずれか１項記載の圧縮機。
【請求項６】
スクロール圧縮機であることを特徴とする請求項１〜請求項５のいずれか１項記載の圧縮機。
【発明の詳細な説明】
【０００１】
【発明の属する技術分野】
本発明は、例えば空気調和機あるいは冷凍機等に用いられて好適な圧縮機に係り、特に、オイルセパレータを有する圧縮機に関する。
【０００２】
【従来の技術】
空気調和機等に用いられる圧縮機は、駆動源から動力を得て冷媒を圧縮し、コンデンサに高温高圧の冷媒を吐出するものである。圧縮室に設けられた冷媒を圧縮する圧縮機構には摺動部を保護するための潤滑油が必要であり、冷媒中に潤滑油を含有させることにより圧縮機構への潤滑が図られている。
冷媒中に含まれる潤滑油の量は、潤滑のためには多いほうがよいが、冷媒とともに循環する潤滑油は冷凍に寄与しないため冷房性能に対してマイナスに作用するので、循環する潤滑油量は少ない方が良い。そこで、圧縮機内部には、冷媒から潤滑油を分離するオイルセパレータが設けられている。
【０００３】
図６に示すオイルセパレータ４が備えられた一般的な圧縮機１について説明する。
符号２は、図示されない例えば固定スクロール及び旋回スクロールを備えた圧縮機構が設けられている圧縮室２を示し、圧縮機構にて圧縮された冷媒は、圧縮機１の外郭形状を形成するハウジング３の内部に形成された吐出室８から孔部５ａを通過して油分離室であるオイルセパレータ４に送入される。
冷媒から潤滑油を分離するオイルセパレータ４は、ハウジング３の一部にて形成される外筒５と、外筒５の上端部に固定される内筒６とから構成されている。また、外筒５を形成するハウジング３の壁面には、冷媒が送入される上述した孔部５ａが設けられている。符号７は、オイルセパレータ４により分離された潤滑油が貯留される油溜まり室７を示し、ハウジング３の一部を構成するように形成されている。
【０００４】
冷媒から潤滑油を分離する過程について説明する。圧縮室２に設けられた圧縮機構（図示せず）にて高温高圧状態に圧縮された冷媒は、圧縮室２から吐出され、ハウジング３内部に形成された吐出室８を経由して、オイルセパレータ４の外筒５に設けられた孔部５ａからオイルセパレータ４内部に送入される。
ここで、図７を用いて説明する。なお、図７は図６のＢ−Ｂ断面における部分断面図である。図７に示すように、孔部５ａは内筒６の軸線に対して偏心した位置に形成されており、送入された冷媒は円筒状の内筒６に衝突しないように外筒５の内側壁面に沿って渦巻き状に流動し、流動過程において発生する遠心力によって、潤滑油とガス冷媒とに分離される。
図６に示すように、分離された潤滑油は油溜まり室７に滴下し、一方、ガス冷媒は内筒６の下端部にある入口から流入し、内筒６内部を通過して冷媒吐出口６ａから図示されないコンデンサに吐出されることとなる。
【０００５】
このオイルセパレータ４の外筒５は、ハウジング３の一部にて形成されているため、ハウジング３はオイルセパレータ４の形状を考慮して鋳造により一体成型されている。また、外筒５の圧縮室側壁面には、上述した孔部５ａが設けられている。この孔部５ａは、オイルセパレータ４内部に送入された冷媒が、外筒５の内側壁面に沿って渦巻き状に流動するように方向性を備えた流路として形成されている。このように孔部５ａに方向性をもたせるためには、孔部５ａが設けられる外筒５の肉厚ｔ（図７参照）を厚くして冷媒の流路を形成し、この流路を通過することで冷媒の方向性が決定されている。よって、この孔部５ａを形成するためには、外筒５（ハウジング３）の肉厚ｔを、例えば４〜５ｍｍと厚く形成する必要がある。
【０００６】
一方、内筒６は、筒部６ｂが、外筒５の内径よりも小さく、且つ外筒５との隙間を有するような外径となるように鋳造あるいは塑性加工にて中空形状の筒状に成型される。また、内筒６の上端部には、冷媒吐出口６ａと固定面６ｄとが形成され、ハウジング３の一部にて形成される外筒５の上端面に図示されないボルトによって接合される。
このようにハウジング３の一部にて形成される外筒５と、内筒６とによってオイルセパレータ４が圧縮機１に形成されることとなる。
【０００７】
【発明が解決しようとする課題】
しかしながら、上記説明の従来の圧縮機においては、以下の問題点を有していた。
すなわち、図６に示したように、オイルセパレータ４の外筒５は、ハウジング３と鋳造にて一体成型されているため、本来ハウジング３としての機能である圧縮機構（図示せず）等を収容する、あるいは、吐出室８を形成することに加え、オイルセパレータ４の外筒５を考慮して形成される必要があった。このことにより、ハウジング３の鋳物形状の複雑化が生じていた。
【０００８】
また、孔部５ａは、冷媒がオイルセパレータ４の外筒５の内側壁面に沿って渦巻き状に流動するように形成される必要がある。よって、冷媒がオイルセパレータ４内部へ送出される方向性を導くために、孔部５ａが設けられる外筒５の肉厚ｔ（図７参照）を厚くせざるをえず、ハウジング３の質量が嵩み、軽量化が求められる圧縮機１にとって問題とされていた。
【０００９】
本発明は、上記事情に鑑みてなされたもので、ハウジング形状の複雑化を低減し、軽量化された、オイルセパレータを備える圧縮機を提供することを目的とする。
【００１０】
【課題を解決するための手段】
本発明は、上記課題を解決するため、以下の手段を採用する。
請求項１記載の発明は、圧縮室より吐出される冷媒から潤滑油を分離するオイルセパレータをハウジング内に備えた圧縮機において、前記オイルセパレータは、両端が開口されている円筒形状の外筒と、該外筒内に配置される内筒とを有し、前記ハウジングの外壁には、前記オイルセパレータを内部に挿入するためのオイルセパレータ固定穴が形成されており、該オイルセパレータ固定穴に対して前記オイルセパレータの前記外筒の一端部が固定設置されているとともに、前記外筒の他端部が前記ハウジング内の該オイルセパレータが設置される空間と油溜まり室とを隔てる仕切壁に固定設置され、該仕切壁に形成されている連通穴を介して分離された油を滴下する前記油溜まり室に連通されていることを特徴としている。
【００１１】
このような構成としたことで、圧縮機のハウジングの一部にて形成されていたオイルセパレータは、ハウジングと別の構成部品としてハウジングに形成されたオイルセパレータ固定穴に挿入されて配置されることになる。ハウジングには、オイルセパレータを設けるための空間及びオイルセパレータ固定穴を有するように鋳造成型されることとなる。
【００１２】
請求項２記載の発明は、請求項１記載の圧縮機であって、前記内筒は、前記外筒を内側に折り曲げた状態で一体成型されていることを特徴としている。
【００１３】
このような構成としたことで、オイルセパレータは、外筒と内筒とが一体成型された形状にて形成される。形成されたオイルセパレータは、外筒の上端部にてハウジングのオイルセパレータ固定穴に挿入されて配置されることになる。
【００１４】
請求項３記載の発明は、請求項１または請求項２記載の圧縮機であって、前記外筒には、圧縮室より吐出される冷媒を導入するための孔部が形成されており、
該孔部は、前記外筒の一部を内側に折り曲げることにより形成されていることを特徴としている。
【００１５】
このような構成としたことで、外筒の壁面の一部が、内側に折り曲げられた孔部が形成され、折り曲げられた壁面の方向性により冷媒の流動方向が導かれることとなる。なお、折り曲げによって形成された壁面は、一平面あるいは、袋状に押し込まれて折り曲げられた形状を含むものである。
また、折り曲げる角度は、挿入される冷媒が内筒に直接衝突しないようにすることが好適である。孔部の位置及び大きさは、圧縮室の配置と容量によって決定されるものとする。
【００１６】
請求項４記載の発明は、請求項１〜請求項３のいずれか１項記載の圧縮機であって、前記オイルセパレータの前記外筒は、前記ハウジングに形成された前記オイルセパレータ固定穴に圧入されて固定されることを特徴としている。
【００１７】
このような構成としたことで、オイルセパレータ固定穴の内径に対してわずかながら大きい外径を有する外筒が、このオイルセパレータ固定穴に圧入されて固定される。圧入における外筒の固定位置は、先に挿入される例えば下側の端部と、後にオイルセパレータ固定穴と接触する例えば上側の端部とに２カ所設けることが好適である。よって、オイルセパレータ固定穴の内壁と外筒の外壁との接触部、及びハウジング内部のオイルセパレータ固定穴の内壁と外筒の外壁とが固着される。また、オイルセパレータ固定穴の内壁と外筒の外壁との接触部の密着性が高くなり、液体もしくは気体の漏れはなくなる。
【００１８】
請求項５記載の発明は、請求項１〜請求項４のいずれか１項記載の圧縮機であって、前記オイルセパレータの前記外筒は、前記ハウジングへの挿入側の端部がテーパ形状とされていることを特徴としている。
【００１９】
このような構成としたことで、外筒をオイルセパレータ固定穴に挿入して圧入させる際に、オイルセパレータ固定穴の中心軸に対して外筒の中心軸が同一軸線上に重なり、オイルセパレータ固定穴に均等な力が働きスムーズに圧入される。
また、挿入途中にて先に挿入された外筒の端部は、ハウジング内部のオイルセパレータ固定穴に誘導されて圧入されることになる。
【００２０】
請求項６記載の発明は、請求項１〜請求項５のいずれか１項記載の圧縮機であって、この圧縮機は、スクロール圧縮機であることを特徴としている。
【００２１】
このような構成としたことで、オイルセパレータとハウジングとが別体にて構成されたオイルセパレータを有するスクロール圧縮機が形成されることとなる。
【００２２】
【発明の実施の形態】
以下、本発明の実施の形態について、図を用いて説明する。
［第１の実施の形態］
図１は、本発明に係る第１の実施の形態のオイルセパレータ４を示す圧縮機１の部分断面図である。なお、この図１における部分断面図は、図６に示された従来の圧縮機１のオイルセパレータ４部分を、本発明の第１の実施の形態に変更して模式的に示したものである。
符号３は、図示されない圧縮機構が設けられた圧縮室２等を収容するハウジング３を示している。このハウジング３には、オイルセパレータ４が挿入される空間と、これを固定するためのオイルセパレータ固定穴３ａとが形成される。また、ハウジング３の下方には、オイルセパレータ４にて分離された潤滑油が溜められる油溜まり室７が形成される。この油溜まり室７とオイルセパレータ４が固定される空間とは、仕切壁３ｂによって隔てられており、この仕切壁３ｂに貫通されたオイルセパレータ固定穴３ａにオイルセパレータ４の外筒５の先端部が固定される。よって、オイルセパレータ４内部と油溜まり室７とは連通している。
【００２３】
第１の実施の形態におけるオイルセパレータ４は、ハウジング３の上下に２カ所設けられたオイルセパレータ固定穴３ａ，３ａに各端部（図において上方と下方）にて固定され、圧縮機１に一体化される。オイルセパレータ４は、主として外筒５と内筒６とにより構成され、外筒５には冷媒が送入される孔部５ａが設けられる。また、内筒６も外筒５と同様にオイルセパレータ固定穴３ａ（図において上方）に固定される。外筒５と内筒６とによって形成されたオイルセパレータ４には、この一端部（図において上方）に冷媒吐出口６ａが形成され、図示されない冷媒配管等を介してコンデンサ（図示せず）に吐出される。
【００２４】
オイルセパレータ固定穴３ａに対して固定される内筒６の一端部（図において上方）には、このオイルセパレータ固定穴３ａの内径よりもわずかに大きい外径寸法、または、外筒５の外径寸法と略同等な大きさの大筒部６ｅが形成される。また、内筒６の小筒部６ｂは、冷媒が外筒５の内側壁面に沿って流動するための隙間を有するような外径寸法にて形成される。
【００２５】
外筒５は、オイルセパレータ４に送入された冷媒が、外筒５の内側壁面に沿って渦巻き状に流動するように略円筒形状に形成される。外筒５の一端部（図において上方）には、オイルセパレータ固定穴３ａに固定されるための固定面５ｄが形成される。
また、外筒５の先にオイルセパレータ固定穴３ａに挿入される一端部（図において下方）には、先端に近づくにつれて窄まった形状のテーパ形状のテーパ部５ｅが形成される。このテーパ部５ｅは、仕切壁３ｂのオイルセパレータ固定穴３ａへの誘導を行い、圧入を容易にしている。この圧入によって気密性が保たれるとともに、強固に固定されることになる。
【００２６】
外筒５の圧縮室側壁面には、図５（ａ）に示されるような外筒５の壁面の一部が内側に折り曲げられた孔部５ａが形成される。この壁面が折り曲げられる角度は、流入された冷媒が直接内筒６に衝突しないように決定されるとともに、外筒５の内側壁面に沿って渦巻き状に流動するように方向性を考慮して折り曲げられる。なお、図５（ｂ）に示すように袋形状の孔部５ａとしても良い。
【００２７】
この孔部５ａの形状は、冷媒の流動方向を下方に導くために、図５（ａ）の孔部５ａの折り曲げ線を外筒５の中心線と平行にせずに角度をつけることによって、３次元的な渦巻き状に冷媒を流動させることも可能である。
また、図５（ｂ）の孔部５ａの袋形状の方向をわずかに下方に向けることで、図５（ａ）の孔部５ａと同様に３次元的な渦巻き状に冷媒を流動させることも可能である。このように外筒５に孔部５ａを形成することは、外筒５の肉厚が薄い場合において有効なものとなる。
【００２８】
以上説明した両筒５，６は、内筒６の大筒部６ｅと外筒５の固定面５ｄとがそれぞれオイルセパレータ固定穴３ａに固定され、圧縮機１の一構成部分としてのオイルセパレータ４が形成されることとなる。
【００２９】
ハウジング３には、このようなオイルセパレータ４が組み込まれるための空間とオイルセパレータ固定穴３ａ、及び油溜まり室７等が設けられ、オイルセパレータ４を除いた形状に鋳造にて成型される。
【００３０】
次にオイルセパレータ４の外筒５及び内筒６の製造方法について説明する。内筒６は、小筒部６ｂと大筒部６ｅとを有するような形状にプレス加工にて成型される。プレス加工による成型のため、内筒６の肉厚は従来の鋳造成型に比べ薄くなる。
また、外筒５も内筒６と同様に、筒部５ｂとテーパ部５ｅ（テーパ形状）とを有するような形状にプレス加工にて成型される。また、外筒５には、上述した孔部５ａを形成するため、孔部５ａの寸法とプレス加工とを考慮し、外筒５の壁面の肉厚が決定される。
なお、外筒５は複雑な形状が要求されないため、管状の円筒から形成することも可能であり、内筒６においては小筒部６ｂと大筒部６ｅとを管状の円筒の組み合わせとして形成することも可能である。
【００３１】
次に、冷媒が分離される過程について説明する。圧縮室２から吐出された冷媒は、孔部５ａからオイルセパレータ４に送入される。送入された冷媒は、孔部５ａの折り曲げ形状と内筒６とによって外筒５の内側壁面に沿って渦巻き状に流動し、徐々に油溜まり室７の方へと導かれる。冷媒が渦巻き状に流動する際、遠心力の働きによって潤滑油とガス冷媒とに分離され、分離された潤滑油は、テーパ部５ｅを通過して油溜まり室７に滴下される。
また、分離されたガス冷媒は、内筒６の一端部（図において下方）の入口から内筒６の小筒部６ｂに流入し、ここを通過して冷媒吐出口６ａから図示されないコンデンサに吐出されることとなる。
【００３２】
以上説明した第１の実施の形態のオイルセパレータによれば、従来ハウジング３に肉厚ｔ（図７参照）をとって一部分を円筒状に鋳造成型していたハウジング３の構造を、外筒５と内筒６とがプレス加工にて成型され、ハウジング３の一端部（図において上方）にて固定される構造にしている。
よって、ハウジング３形状の簡略化がなされ、さらに、ハウジング３の肉厚を薄くすることができる。これにより鋳造におけるコストの低減が図られ、また、ハウジング３の軽量化がなされることにより圧縮機１及び、これに含まれるスクロール圧縮機の軽量化が図られる。
【００３３】
［第２の実施形態］
図２には、本発明に係る第２の実施の形態が示されている。このオイルセパレータ４が第１の実施の形態に比較して異なっている点について説明し、その他は上述の第１の実施の形態の圧縮機１と同様なので説明を省略する。
【００３４】
第２の実施の形態における、オイルセパレータ４の構造及び製造方法について説明する。
外筒５は、オイルセパレータ４に送入された冷媒を外筒５の内側壁面に沿って渦巻き状に流動させるとともに、ハウジング３との固定面５ｄを有するように略円筒状にプレス加工にて成型される。
また、内筒６は、外筒５がプレス成型される際と同時あるいは、外筒５のプレス加工の前後に、外筒５と同一な部材にて外筒５が内側に折り曲げられた形状にプレス加工される。よって、このオイルセパレータ４は、一つの部材によって形成されることとなる。
【００３５】
また、外筒５の圧縮室側壁面には、図５に示すような、壁面が内側に折り曲げられた孔部５ａが第１の実施の形態と同様に形成される。この一体成型されたオイルセパレータ４は、外筒５の一端部の側面（図において上方）に設けた固定面５ｄにてハウジング３のオイルセパレータ固定穴３ａに固定されることとなる。
また、オイルセパレータの一端部（図において下方）は、仕切壁３ｂに外筒５の外径に合わせて形成された溝部３ｄに嵌め込まれて固定されることが好適である。これにより、冷媒の吐出圧力に対して漏れを防止することができる。
【００３６】
この溝部３ｅの形状は、この図２に示されるような鋳造の容易化のために仕切壁３ｂが均一平面に鋳造にて成型された後、オイルセパレータ固定穴３ａから工作機械を挿入し、機械加工を行って外筒５の外径寸法に切削し溝部３ｅを形成するものがある。また、図３に示されるような鋳造における成型と機械加工にて形成する溝部３ｄがある。
さらに前者についていえば、外筒５の肉厚に合わせてリング状の溝部（図示せず）を形成するものがある。これらの構成とした溝部３ｄ，３ｅにより、圧力漏れを確実に防ぐことが可能となる。
なお、仕切壁３ｂの溝部３ｄ，３ｅについては、以下説明する実施の形態のすべてに適用可能である。
【００３７】
冷媒が分離される過程について説明する。圧縮室２から吐出された冷媒は、孔部５ａから本実施の形態のオイルセパレータ４に送入される。送入された冷媒は、孔部５ａの折り曲げ形状と内筒６とによって外筒５の内側壁面に沿って渦巻き状に流動し、徐々に油溜まり室７の方へと導かれる。冷媒が渦巻き状に流動する際、遠心力の働きによって潤滑油とガス冷媒とに分離され、分離された潤滑油は、仕切壁３ｂに形成された連通穴３ｃを通過して油溜まり室７に滴下される。
また、分離されたガス冷媒は、内筒６の一端部（図において下方）の入口から内筒６内部に流入し、ここを通過して冷媒吐出口６ａから図示されないコンデンサに吐出されることとなる。
【００３８】
以上説明した第２の実施の形態によれば、オイルセパレータ４が一体成型されてハウジング３に一端部（図において上方）にて固定されることによって、外筒５と内筒６との接合部がないオイルセパレータ４となり、製作の容易化が図られる。
また、第１の実施の形態と同様に、スクロール圧縮機を含む圧縮機１の軽量化と、ハウジング形状の単純化が図られる。
【００３９】
［第３の実施形態］
図３には、本発明に係る第３の実施の形態が示されている。このオイルセパレータ４が第１あるいは第２の実施の形態に比較して異なっている点について説明し、その他は上述の第１あるいは第２の実施の形態の圧縮機１と同様なので説明を省略する。
【００４０】
第３の実施の形態における、オイルセパレータ４の構造及び製造方法について説明する。
外筒５は、オイルセパレータ４に送入された冷媒が外筒５の内側壁面を渦巻き状に流動させるとともに、一端部（図において上方）がハウジング３との固定面５ｄを有するように略円筒状にプレス加工にて成型される。また、圧縮室側壁面には孔部５ａが第１の実施の形態と同様に設けられている。
内筒６は、従来の内筒６（図６参照）と同様に鋳造にて成型される。
【００４１】
内筒６に形成された固定面６ｄにて外筒５の一端部（図において上方）と固定され、オイルセパレータ４として形成される。形成されたオイルセパレータ４は、ハウジング３のオイルセパレータ固定穴３ａに一端部（図において上方）の固定面５ｄにて固定されることとなる。
なお、外筒５が先にハウジング３に固定され後に、内筒６が外筒５の端部（図において上方）または、ハウジング３との固定面６ｄにて固定される場合もあるものとする。
【００４２】
以上説明した第３の実施の形態によれば、オイルセパレータ４がプレス成型と鋳造成型とによって形成され、ハウジング３に一端部に固定されることになる。よって、ハウジング３の形状が簡略化されるとともに軽量化することができ、よって、スクロール圧縮機を含む圧縮機１の軽量化を図ることができる。
また、内筒６を特殊な形状、あるいは肉厚を厚くする必要がある場合においては、鋳造による内筒６の製作容易化が図られる。
【００４３】
［第４の実施形態］
図４には、第４の実施の形態が示されている。このオイルセパレータ４が第１〜第３のいずれかの実施の形態に比較して異なっている点について説明し、その他は上述の各実施の形態の圧縮機と同様なのでその説明を省略する。
【００４４】
第４の実施の形態における、オイルセパレータ４の構造及び製造方法について説明する。
内筒６は、冷媒が流動する隙間を有するように、外筒５の内径よりも外径が小さく形成された小筒部６ｂと、外筒５の内径とほぼ同等な大きさの外径に形成された大筒部６ｅとを有するように、例えば漏斗のような形状に、プレス加工にて成型される。
外筒５は、オイルセパレータ４に送入された冷媒が外筒５の内側壁面に沿って渦巻き状に流動するとともに、一端部（図において上方）がハウジング３との固定面５ｄとを有するように略円筒状にプレス加工にて成型される。また、外筒５の圧縮室側の壁面には、第１の実施の形態と同様な図５に示される孔部５ａが形成される。
なお、外筒５は、プレス加工を用いないで、管状の円筒を加工して形成することも可能である。
【００４５】
このような形状に形成された両筒５，６は、外筒５の一端部（図において上方）に内筒６の外径が大きな大筒部６ｅが圧入されることによりオイルセパレータ４が形成される。形成されたオイルセパレータ４は、ハウジング３のオイルセパレータ固定穴３ａに、外筒５の一端部（図において上方）側面の固定面５ｄにて固定される。
【００４６】
以上説明した第４の実施の形態によれば、オイルセパレータ４は、両筒５，６がプレス加工にて成型された後、外筒５に内筒６が圧入されて形成され、ハウジング３に一端部（図において上方）にて固定されることによるものである。よって、ハウジング３の形状が簡略化されるとともに軽量化することができ、さらにはオイルセパレータ４を容易に製作することができる。これにより、スクロール圧縮機を含む圧縮機１の軽量化が図られる。
【００４７】
【発明の効果】
以上説明したように、本発明に係る以下のような効果を得ることとなる。
請求項１記載の発明によれば、圧縮機のハウジングとオイルセパレータとが別の構成部品とされ、オイルセパレータがハウジングに固定される構造により、ハウジング形状の複雑化を低減することができ、圧縮機の軽量化及びコスト低下を図ることが可能となる。
【００４８】
請求項２記載の発明によれば、オイルセパレータを構成する外筒と内筒とがプレス加工にて一体成型される構成としたことにより、オイルセパレータの部品点数及び製作容易化が可能となり、さらに、ハウジング形状の複雑化が低減される。よって、圧縮機の軽量化及びコスト低下を図ることが可能となる。
【００４９】
請求項３記載の発明によれば、冷媒が送入される孔部が外筒の壁面が内側に折り曲げられた形状にて形成される構成により、冷媒の的確な方向性が導けるとともにハウジングの軽量化が図られ、よって、圧縮機の軽量化が可能となる。
【００５０】
請求項４記載の発明によれば、オイルセパレータの外筒は、ハウジングに形成されたオイルセパレータ固定穴に圧入されて固定されることとされるので、容易に且つ強固に固定されたオイルセパレータを圧縮機に形成することができる。
【００５１】
請求項５記載の発明によれば、オイルセパレータの外筒の端部がテーパー形状とされているので、容易に且つ迅速に組み立てが可能なオイルセパレータを圧縮機に形成することができる。
【００５２】
請求項６記載の発明によれば、スクロール圧縮機におけるオイルセパレータであるので、軽量化及びコスト低下が図られたスクロール圧縮機を提供することが可能となる。
【図面の簡単な説明】
【図１】本発明に係る第１の実施の形態を説明するオイルセパレータを有する圧縮機の部分断面図である。
【図２】本発明に係る第２の実施の形態を説明するオイルセパレータを有する圧縮機の部分断面図である。
【図３】本発明に係る第３の実施の形態を説明するオイルセパレータを有する圧縮機の部分断面図である。
【図４】本発明に係る第４の実施の形態を説明するオイルセパレータを有する圧縮機の部分断面図である。
【図５】本発明に係るオイルセパレータの孔部の形状を説明する図であって、図５（ａ）は図１におけるＡ−Ａ断面図であり、図５（ｂ）はその変形例である。
【図６】従来のオイルセパレータを有する圧縮機の全体構成を説明する圧縮機の断面図である。
【図７】図６のＢ−Ｂ断面におけるオイルセパレータの孔部を説明する断面図である。
【符号の説明】
１  圧縮機
２  圧縮室
３  ハウジング
３ａ  オイルセパレータ固定穴
３ｂ  仕切壁
３ｃ  連通穴
３ｄ，３ｅ  溝部
４  オイルセパレータ
５  外筒
５ａ  孔部
５ｄ  固定面
５ｅ  テーパ部（テーパ形状）
６  内筒
６ａ  冷媒吐出口
６ｂ  小筒部
６ｅ  大筒部
７  油溜まり室
【図１】
0004585149.tif 000002
【図２】
0004585149.tif 000003
【図３】
0004585149.tif 000004
【図４】
0004585149.tif 000005
【図５】
0004585149.tif 000006
【図６】
0004585149.tif 000007
【図７】
0004585149.tif 000008